(57)【要約】【課題】販売データが正しく処理されたことをオペレータが直感的に確認できるようにする。【解決手段】商品販売処理装置は、商品を識別する商品コードを入力するための入力デバイスと、通報動作を行う通報デバイスとを備える。商品販売処理装置は、入力デバイスを介して入力された商品コードで識別される商品の販売データを処理する。そして商品販売処理装置は、販売データが処理されたことを条件に通報デバイスを通報動作させる。【選択図】      図２
2019144647.tif 000002
【特許請求の範囲】
【請求項１】
商品を識別する商品コードを入力するための入力デバイスと、
通報動作を行う通報デバイスと、
前記入力デバイスを介して入力された前記商品コードで識別される商品の販売データを処理する処理手段と、
前記処理手段により前記販売データが処理されたことを条件に前記通報デバイスを通報動作させる制御手段と、
を具備する商品販売処理装置。
【請求項２】
前記入力デバイスを介して入力された前記商品コードで識別される商品が、所定の条件を満たした場合に販売を許容する販売制限商品であるか否かを判定する判定手段、
をさらに具備し、
前記処理手段は、前記入力デバイスを介して入力された前記商品コードで識別される商品が前記販売制限商品であるときには、前記所定の条件を満たした場合に当該販売制限商品の販売データを処理する請求項１記載の商品販売処理装置。
【請求項３】
前記処理手段により前記販売データが処理された商品の会計を行う会計装置と通信を行う通信インターフェース、
をさらに具備し、
前記制御手段は、前記通信インターフェースを介して前記会計装置から受信した情報に基づき前記通報デバイスを通報動作させる、請求項１又は２記載の商品販売処理装置。
【請求項４】
前記制御手段は、前記会計装置から受信した情報の優先度を認識し、その優先度に応じて前記通報動作を異ならせる、請求項３記載の商品販売処理装置。
【請求項５】
前記入力デバイスを介して入力された前記商品コードで識別される商品に係る情報を表示する表示デバイス、
をさらに具備し、
前記通報デバイスは、前記表示デバイスの画面を囲うフレームの一部に設けられた発光素子である、請求項１乃至４のうちいずれか１に記載の商品販売処理装置。
【請求項６】
商品を識別する商品コードを入力するための入力デバイスと、通報動作を行う通報デバイスとを備えた商品販売処理装置のコンピュータに、
前記入力デバイスを介して入力された前記商品コードで識別される商品の販売データを処理する機能、及び、
前記販売データが処理されたことを条件に前記通報デバイスを通報動作させる機能、
を実現させるためのプログラム。
【発明の詳細な説明】
【技術分野】
【０００１】
本発明の実施形態は、商品販売処理装置及びプログラムに関する。
【背景技術】
【０００２】
商品販売処理装置は、例えば客が購入する商品の販売データを処理する電子機器であり、ＰＯＳ（Point Of Sales）端末、電子式キャッシュレジスタ等と称される。この種の商品販売処理装置では、商品を識別する商品コードを入力するための入力デバイスとして、スキャナ、タッチパネル等が使用される。
【０００３】
スキャナは、バーコード等のコードシンボルをスキャニングする。スキャナを制御するコントローラは、スキャニングされたコードシンボルを解析して、商品コードを取得する。このようにスキャナは、商品コードを表すコードシンボルが付された商品の入力に供せられる。
【０００４】
タッチパネルは、商品コードが割り当てられた複数のボタン画像をパネル面に表示する。タッチパネルを制御するコントローラは、いずれかのボタン画像がタッチ入力されたことを検知すると、そのボタン画像に割り当てられた商品コードを取得する。このようにタッチパネルは、主に、コードシンボルが付されていない商品、例えば生鮮食品等の入力に供せられる。
【０００５】
スキャナは、コードシンボルをスキャニングする毎に通報音を発する。スキャナのオペレータは、通報音を聞くことでコードシンボルを正しくスキャニングできたことを知り得る。しかし、必ずしもコードシンボルを正しくスキャニングできたからといって、そのコードシンボルで特定される商品の販売データが商品販売処理装置で処理されたとは限らない。例えば、アルコール飲料や煙草等のように購買に年齢制限がある商品の場合、年齢確認の操作が必要となる。年齢確認の操作がなされないと、商品販売処理装置ではその商品の販売データが処理されない。
【０００６】
商品販売処理装置では、商品の販売データが処理されると、その商品の名称，価格等が表示デバイスに表示される。したがってオペレータは、表示デバイスに表示された情報から、販売データが正しく処理されたことを知り得る。しかし、商品コードの入力操作を行う都度、表示内容を確認していたのでは、作業効率が悪化する。このため、販売データが正しく処理されたことをオペレータが直感的に確認できることが望まれている。
【先行技術文献】
【特許文献】
【０００７】
【特許文献１】特開２００１−２６６２５３号公報
【発明の概要】
【発明が解決しようとする課題】
【０００８】
本発明の実施形態が解決しようとする課題は、販売データが正しく処理されたことをオペレータが直感的に確認できる商品販売処理装置を提供しようとするものである。
【課題を解決するための手段】
【０００９】
一実施形態において、商品販売処理装置は、入力デバイスと、通報デバイスと、処理手段と、制御手段とを備える。入力デバイスは、商品を識別する商品コードを入力する。通報デバイスは、通報動作を行う。処理手段は、入力デバイスを介して入力された商品コードで識別される商品の販売データを処理する。制御手段は、処理手段により販売データが処理されたことを条件に通報デバイスを通報動作させる。
【図面の簡単な説明】
【００１０】
【図１】セミセルフ方式を採用したチェックアウトシステムを示す模式図。
【図２】作業テーブルを挟んで登録機を店員側から見た斜視図。
【図３】作業テーブルを挟んで登録機を買物客側から見た斜視図。
【図４】登録機の要部回路構成を示すブロック図。
【図５】商品データファイルに記録された１商品あたりのデータレコードの構造を示す模式図。
【図６】第１テーブルのデータ構造を示す模式図。
【図７】第２テーブルのデータ構造を示す模式図。
【図８】登録機のプロセッサが所定のプログラムに従って実行する、情報処理の要部手順を示す流れ図。
【図９】登録機のプロセッサが所定のプログラムに従って実行する、情報処理の要部手順を示す流れ図。
【図１０】登録機のプロセッサが所定のプログラムに従って実行する、情報処理の要部手順を示す流れ図。
【図１１】登録機のプロセッサが所定のプログラムに従って実行する、情報処理の要部手順を示す流れ図。
【発明を実施するための形態】
【００１１】
以下、販売データが正しく処理されたことをオペレータが直感的に確認できる商品販売処理装置の実施形態について、図面を用いて説明する。  
なお、この実施形態は、上記商品販売処理装置としての機能を、セミセルフ方式を採用したチェックアウトシステムの登録機に適用した場合である。はじめに、セミセルフ方式を採用したチェックアウトシステムについて説明する。
【００１２】
図１は、セミセルフ方式を採用したチェックアウトシステム１０を示す模式図である。チェックアウトシステム１０は、複数台の登録機１１と、登録機１１よりも台数の多い会計機１２と、ネットワーク１３とを含む。そして登録機１１及び会計機１２は、いずれもネットワーク１３に接続される。ネットワーク１３は、例えばＬＡＮ（local area network）である。
【００１３】
登録機１１及び会計機１２は、店舗のチェックアウトレーン毎に配置される。図１においては、２台の登録機１１と６台の会計機１２とを２つのチェックアウトレーンに配置した場合を示している。図１においては、１つのチェックアウトレーンに対して１台の登録機１１と３台の会計機１２とが配置されている。チェックアウトシステム１０が、登録機１１及び会計機１２をそれぞれ何台含むかは任意である。また、チェックアウトレーンに配置される登録機１１と会計機１２との台数の比も任意である。
【００１４】
登録機１１は、チェッカと呼ばれる役割を担った店員２１が、その操作者となる。会計機１２は、店舗で販売される商品を購入する買物客２２が、その操作者となる。ただし会計機１２は、店員２１により操作される場合もある。
【００１５】
登録機１１は、図１においては、作業テーブル２３に取り付けられる。作業テーブル２３は、矩形の天板を有する。複数の作業テーブル２３が、天板の長手方向がほぼ並行するように配置されることにより、買物客２２用の通路（チェックアウトレーン）が形成される。
【００１６】
登録機１１は、販売商品の登録処理、会計データの生成及びその会計データの会計機１２への送信、ならびに決済処理の各機能を備える。販売商品の登録処理とは、買物客２２が購入する商品の販売データを登録機１１に登録することである。例えば、バーコード付き商品の場合には、そのバーコードをスキャナでスキャニングすることにより、当該商品の販売点数及び金額が登録機１１に登録される。一方、バーコード無し商品の場合には、タッチパネルに表示された商品ボタンの画像をタッチすることにより、当該商品の販売点数及び金額が登録機１１に登録される。会計データとは、１つの取引として登録された販売商品の会計に係るデータである。販売商品の識別コードである商品コード、商品名、単価、個数、金額等が会計データに含まれる。決済処理とは、会計データを基に商品売買行為である取引の決済を処理することである。登録機１１での取引の決済には、例えばクレジットカード、商品券等が支払媒体として使用される。
【００１７】
会計機１２は、ネットワーク１３を介して会計データを受信すると、その会計データを基に、現金、電子マネー等を支払媒体として取引の決済を処理する。このため会計機１２は、自動釣銭機を備えている。会計機１２は、会計データに含まれる取引金額以上の現金が自動釣銭機に投入されると、その差額を釣銭額として払出口に払い出す。また会計機１２は、電子マネーデータの読取装置を備えている。会計機１２は、会計データに含まれる取引金額以上の残高を有する電子マネーデータを読み取ると、そのデータで特定される電子マネーから取引金額を引去る。また会計機１２は、レシートプリンタを備えている。会計機１２は、取引の決済を終えると、その取引の明細を印字したレシートを発行する。
【００１８】
かかる構成の会計機１２は、自動釣銭機において、硬貨詰まり、紙幣詰まり等の異常が発生すると、釣銭機異常発生信号を生成する。その後、異常が解消されると、会計機１２は、釣銭機異常解除信号を生成する。また会計機１２は、払出口に払い出された釣銭が回収されることなく残留していることをセンサで検知すると、残留検知発生信号を生成する。その後、釣銭が回収されると、会計機１２は、残留検知解除信号を生成する。また会計機１２は、釣銭用硬貨又は紙幣のニアエンプティまたはニアフルをセンサで検知すると、ニア警告発生信号を生成する。その後、ニアエンプティまたはニアフル状態が解消されると、会計機１２は、ニア警告解除信号を生成する。これらの発生信号及び解除信号は、会計機１２の状態信号としてネットワーク１３に出力される。図示しないが、ネットワーク１３には、バックヤードでの監視用のモニタ装置が接続されており、会計機１２の状態信号に応じて会計機１２の状態が表示される。バックヤードの店員は、モニタ装置の表示から会計機１２の状態を知ることができる。
【００１９】
次に、登録機１１の構成について説明する。図２は、作業テーブル２３を挟んで登録機１１を店員２１側から見た斜視図であり、図３は、同登録機１１を買物客２２側から見た斜視図である。登録機１１は、幅広で奥行きが狭い薄型の矩形形状のハウジング３１を備える。ハウジング３１は、幅広の一対の面を店員２１側と買物客２２側とにそれぞれ向けて、作業テーブル２３の天板に立設されている。以下では、作業テーブル２３を挟んで店員２１側を登録機１１の正面とし、買物客２２側を背面とする。
【００２０】
登録機１１は、店員用タッチパネル３２、キーボード３３、カードリーダ３４、スキャナ３５、プリンタ３６及び客用タッチパネル３７を備える。店員用タッチパネルは、パネル面を正面に向けてハウジング３１の頂部に取り付けられている。店員用タッチパネル３２は、店員２１に対する表示デバイス及び店員２１をオペレータとした入力デバイスとして機能する。
【００２１】
キーボード３３及びカードリーダ３４は、筐体３８に一体に組み込まれており、店員用タッチパネルの一側部に取り付けられている。キーボード３３は、テンキー、乗算キー、小計キー等の種々のキーを配置した専用キーボードである。カードリーダ３４は、クレジットカード、ポイントカード等のカード媒体に記録されたデータを読み取る。因みに、図２及び図３では磁気カードタイプのカードリーダ３４を図示している。しかし、カードリーダ３４は、接触式ＩＣカードまたは非接触式ＩＣカードのリーダ・ライタであってもよい。
【００２２】
スキャナ３５は、読取窓３５１を正面に向けて、ハウジング３１の上方部に埋設されている。スキャナ３５は、読取窓３５１に翳されたバーコード、二次元データコード等のコードシンボルをスキャニングして読み取る。スキャナ３５は、登録機１１における入力デバイスの一種である。
【００２３】
プリンタ３６は、発行口３６１を正面に向けて、ハウジング３１の上方部に埋設されている。プリンタ３６は、レシート用データ、クレジット伝票用データ等をロール紙に印刷し、発行口３６１からレシートまたはクレジット伝票等を発行する。
【００２４】
客用タッチパネル３７は、パネル面を背面に向けて、ハウジング３１の一側面から水平に延伸されたアーム３９に取り付けられている。客用タッチパネル３７は、買物客２２に対する表示デバイス及び買物客２２をオペレータとした入力デバイスとして機能する。
【００２５】
また登録機１１は、店員用タッチパネル３２の画面を囲うフレームのうち上縁の一部にＬＥＤランプ４０を取り付けている。ＬＥＤランプ４０は、複数の色、例えば赤、橙、緑、黄、青等で点灯又は点滅する発光素子である。ＬＥＤランプ４０は、異なる色の点灯又は点滅によって通報動作を行う。ここにＬＥＤランプ４０は、通報デバイスとして機能する。
【００２６】
図４は、登録機１１の要部回路構成を示すブロック図である。なお、図２及び図３と共通する部分には同一符号を付してある。登録機１１は、プロセッサ５１、メインメモリ５２、補助記憶デバイス５３及びシステム伝送路５４を備える。システム伝送路５４は、アドレスバス、データバス、制御信号線等を含む。登録機１１は、システム伝送路５４にプロセッサ５１、メインメモリ５２及び補助記憶デバイス５３を接続することによって、コンピュータを構成する。
【００２７】
プロセッサ５１は、上記コンピュータの中枢部分に相当する。プロセッサ５１は、オペレーティングシステムやアプリケーションプログラムに従って、登録機１１としての各種の機能を実現するべく各部を制御する。
【００２８】
メインメモリ５２は、上記コンピュータの主記憶部分に相当する。メインメモリ５２は、不揮発性のメモリ領域と揮発性のメモリ領域とを含む。メインメモリ５２は、不揮発性のメモリ領域ではオペレーティングシステムやアプリケーションプログラムを記憶する。またメインメモリ５２は、プロセッサ５１が各部を制御するための処理を実行する上で必要なデータを不揮発性または揮発性のメモリ領域で記憶する場合もある。メインメモリ５２は、揮発性のメモリ領域を、プロセッサ５１によってデータが適宜書き換えられるワークエリアとして使用する。
【００２９】
補助記憶デバイス５３は、上記コンピュータの補助記憶部分に相当する。例えばＥＥＰＲＯＭ（Electric Erasable Programmable Read-Only Memory）、ＨＤＤ（Hard Disc Drive）、あるいはＳＳＤ（Solid State Drive）等が補助記憶デバイス５３として使用される。補助記憶デバイス５３は、プロセッサ５１が各種の処理を行う上で使用するデータや、プロセッサ５１での処理によって生成されたデータを保存する。補助記憶デバイス５３は、上記のアプリケーションプログラムを記憶する場合もある。
【００３０】
登録機１１はさらに、通信インターフェース５５、外部機器インターフェース５６及び出力ポート５７を備え、これらをシステム伝送路５４に接続している。通信インターフェース５５は、ＬＡＮ１３を介して接続された他の機器との間で、所定の通信プロトコルに従いデータ通信を行う。他の機器とは、会計機１２、ストアサーバ、他の登録機１１等が該当する。
【００３１】
外部機器インターフェース５６は、通信ケーブルを介して接続された外部機器との間で、所定の通信プロトコルに従いデータ通信を行う。外部機器とは、客用タッチパネル３７である。なお、客用タッチパネル３７以外の電子機器、例えば非接触式ＩＣカードのリーダ・ライタ、キーボード、プリンタ等が外部機器インターフェース５６に接続されてもよい。
【００３２】
出力ポート５７は、プロセッサ５１の制御により、ＬＥＤランプ４０に対して駆動信号を出力する。駆動信号は、色別の点灯信号又は点滅信号を含む。
【００３３】
登録機１１は、システム伝送路５４にさらに、前記店員用タッチパネル３２のディスプレイ３２１及びタッチセンサ３２２と、前記キーボード３３と、前記カードリーダ３４と、前記スキャナ３５と、前記プリンタ３６とを、それぞれデバイスコントローラを介して接続している。
【００３４】
かかる構成の登録機１１は、補助記憶デバイス５３に、商品データファイル６０と、第１テーブル６１と、第２テーブル６２とを保存している。なお、商品データファイル６０、第１テーブル６１及び第２テーブル６２の保存先は、補助記憶デバイス５３に限定されない。例えばメインメモリ５２の不揮発性領域に保存されていてもよい。
【００３５】
商品データファイル６０には、店舗で販売される各商品に関するデータが記録されている。図５は、商品データファイル６０に記録された１商品あたりのデータレコード６０Ｒの構造を示す模式図である。図示するようにデータレコード６０Ｒは、商品コード、商品名、価格、バーコード有無フラグＦ１、販売制限フラグＦ２等のデータ項目によって構成される。
【００３６】
商品コードは、各商品を個々に識別するために商品毎に設定された一意のコードである。商品名及び価格は、その商品コードで識別される商品の名称及び１点あたりの金額である。バーコード有無フラグＦ１は、当該商品がバーコード付き商品であるか否かを識別する１ビットデータである。本実施形態では、バーコード付き商品の場合はバーコード有無フラグＦ１を“１”とし、バーコード無し商品の場合はバーコード有無フラグＦ１を“０”とする。販売制限フラグＦ２は、販売制限のある商品であるか否かを識別する１ビットデータである。本実施形態では、アルコール飲料、煙草等のように購買者の年齢によって販売が制限される商品の場合は販売制限フラグＦ２を“１”とし、販売が制限されない商品の場合は販売制限フラグＦ２を“０”とする。なお、販売制限については、年齢確認以外のものを含んでもよい。
【００３７】
図６は、第１テーブル６１のデータ構造を示す模式図である。図示するように第１テーブル６１には、登録機１１で発生し得る任意の事象毎に色データを設定したものである。すなわち本実施形態では、事象「スキャン登録」、「タッチ登録」、「販売制限許可」及び「販売制限不許可」に対してそれぞれ色データＣ１，Ｃ２，Ｃ３，Ｃ４を設定している。色データＣ１，Ｃ２，Ｃ３，Ｃ４は、ＬＥＤランプ４０の発光色を表わすデータである。例えば色データＣ１と色データＣ２とでは、発光色が異なることを意味する。
【００３８】
事象「スキャン登録」とは、スキャナ３５によるバーコードのスキャニングにより商品の販売データが登録処理された事象を示す。事象「タッチ登録」とは、店員用タッチパネルに表示された商品ボタンのタッチ操作を受けて商品の販売データが登録処理された事象を示す。事象「販売制限許可」とは、販売が制限された商品について販売が許可された事象を示す。事象「販売制限不許可」とは、販売が制限された商品について販売が許可されなかった事象を示す。
【００３９】
図７は、第２テーブル６２のデータ構造を示す模式図である。図示するように第２テーブル６２には、会計機１２で発生し得る任意の事象毎に色データと優先度データと状態フラグとを設定したものである。すなわち本実施形態では、事象「釣銭機異常」、「残留検知」及び「ニア警告」に対してそれぞれ色データＣ５，Ｃ６，Ｃ７と、優先度データ「１」，「２」，「３」と、“０”または“１”の状態フラグとを設定している。色データＣ５，Ｃ６，Ｃ７は、ＬＥＤランプ４０の発光色を表わすデータである。例えば色データＣ５と色データＣ６とでは、発光色が異なることを意味する。優先度データ「１」，「２」，「３」は、複数の事象が同時に発生した場合の優先度を示す。因みに本実施形態では、値が小さいほど優先度が高いと定義する。状態フラグは、会計機１２において対応する事象が発生しているか否かを識別するための１ビットデータである。因みに本実施形態では、発生中の事象の状態フラグを“１”とし、未発生の事象の状態フラグを“０”とする。
【００４０】
事象「釣銭機異常」とは、会計機１２に備えられた自動釣銭機において、硬貨詰まり、紙幣詰まり等の異常が発生している事象を示す。事象「残留検知」とは、その自動釣銭機の払出口に払い出された釣銭が回収されることなく残留している事象を示す。事象「ニア警告」は、その自動釣銭機において、釣銭用硬貨又は紙幣のニアエンプティまたはニアフルが発生した事象を示す。
【００４１】
図８乃至図１１は、登録機１１のプロセッサ５１が所定のプログラムに従って実行する、情報処理の要部手順を示す流れ図である。当該プログラムは、一人の買物客２２が買い上げる商品の登録開始からその買物客２２の会計データを任意の会計機１２に送信するまでの登録機１１の動作を制御するものである。プログラムは、メインメモリ５２または補助記憶デバイス５３に記憶されている。以下、図８乃至図１１を用いて、登録機１１の動作について説明する。なお、以下に説明する内容は一例である。同様な結果を得ることが可能であればその手順及び内容は特に限定されるものではない。
【００４２】
プロセッサ５１は、先ず、Ａｃｔ１として登録リストをクリアする。登録リストは、メインメモリ５２の揮発性領域に形成されている。登録リストは、買物客２２が買い上げる商品の商品コード、商品名、価格、点数、金額等の販売データを登録するための領域である。
【００４３】
登録リストをクリアした後、プロセッサ５１は、Ａｃｔ２として会計機１２からの割込み信号を受信したか否かを確認する。割込み信号は、前述した釣銭機異常発生信号、残留検知発生信号、ニア警告発生信号、釣銭機異常解除信号、残留検知解除信号又はニア警告解除信号である。
【００４４】
割込み信号を受信していない場合（Ａｃｔ２、ＮＯ）、プロセッサ５１は、Ａｃｔ３として入力デバイスからの入力有無を確認する。具体的にはプロセッサ５１は、スキャナ３５によるスキャニング入力の有無、店員用タッチパネル３２に対するタッチ入力の有無等を確認する。
【００４５】
入力デバイスからの入力が無い場合（Ａｃｔ３、ＮＯ）、プロセッサ５１は、Ａｃｔ２の処理に戻る。ここにプロセッサ５１は、Ａｃｔ２及びＡｃｔ３において、会計機１２からの割込み信号を受信するか、入力デバイスからの入力を待ち受ける。
【００４６】
この待ち受け状態においてプロセッサ５１は、入力デバイスからの入力有りを確認すると（Ａｃｔ３、ＹＥＳ）、Ａｃｔ４としてスキャナ３５によるスキャニング入力であったか否かを確認する。スキャニング入力でなかった場合（Ａｃｔ４、ＮＯ）、プロセッサ５１は、Ａｃｔ５として店員用タッチパネル３２に対するタッチ入力であったか否かを確認する。タッチ入力でもなかった場合（Ａｃｔ５、ＮＯ）、プロセッサ５１は、他の入力に対する処理を実行する。この処理については、本実施形態を説明する上で重要な事項ではないので、ここでの説明は省略する。
【００４７】
Ａｃｔ３において確認できた入力が、スキャナ３５によるスキャニング入力であった場合（Ａｃｔ４、ＹＥＳ）、プロセッサ５１は、図９の流れ図に示す手順の処理に進む。すなわちプロセッサ５１は、Ａｃｔ１１としてスキャニング入力されたコードシンボルのデータが商品コードを含むものであるか否か確認する。商品コードを含むものでない場合（Ａｃｔ１１、ＮＯ）、プロセッサ５１は、他のコードシンボルに対する処理を実行する。この処理についても、本実施形態を説明する上で重要な事項ではないので、ここでの説明は省略する。
【００４８】
スキャニング入力されたコードシンボルのデータが商品コードを含むものであった場合には（Ａｃｔ１１、ＹＥＳ）、プロセッサ５１は、Ａｃｔ１２として商品データファイル６０を検索して、当該商品コードを含むデータレコード６０Ｒを取得する。
【００４９】
データレコード６０Ｒを取得できたならば、プロセッサ５１は、Ａｃｔ１３としてそのデータレコード６０Ｒに含まれる販売制限フラグＦ２を調べる。ここで、販売制限フラグＦ２が“０”、すなわち、スキャニング入力された商品コードで特定される商品が販売制限されない商品の場合には（Ａｃｔ１３、ＮＯ）、プロセッサ５１は、Ａｃｔ１４として第１テーブル６１から事象「スキャン登録」に関連付けて設定された色データＣ１を取得する。
【００５０】
これに対し、販売制限フラグＦ２が“１”、すなわち、スキャニング入力された商品コードで特定される商品が販売制限される商品の場合には（Ａｃｔ１３、ＮＯ）、プロセッサ５１は、Ａｃｔ１５として販売制限される商品であることを買物客２２に通知するための表示を行う。
【００５１】
例えばプロセッサ５１は、客用タッチパネル３７に対し、「年齢確認が必要です。二十歳以上ですか？」というガイダンスとともに「はい」のボタン画像と「いいえ」のボタン画像とを表示させる。買物客２２は、二十歳以上の場合には「はい」のボタン画像にタッチする。二十歳未満の場合には買物客２２は、「いいえ」のボタン画像にタッチする。
【００５２】
あるいはプロセッサ５１は、店員用タッチパネル３２に対し、「年齢確認が必要です。二十歳以上であるか確認してください」というガイダンスとともに「はい」のボタン画像と「いいえ」のボタン画像とを表示させる。店員２１は、買物客２２の年齢を確認し、二十歳以上の場合には、「はい」のボタン画像にタッチする。二十歳未満の場合には店員２１は、「いいえ」のボタン画像にタッチする。
【００５３】
Ａｃｔ１５において販売制限に係る表示を行ったプロセッサ５１は、Ａｃｔ１６として販売を許可するか否かを判定する。客用タッチパネル３７または店員用タッチパネル３２に表示された「はい」ボタンがタッチされたことを検知すると、プロセッサ５１は、販売を許可する。これに対し、「いいえ」ボタンがタッチされたことを検知した場合には、プロセッサ５１は、販売を許可しない。
【００５４】
販売を許可する場合（Ａｃｔ１６、ＹＥＳ）、プロセッサ５１は、Ａｃｔ１７として第１テーブル６１から事象「販売制限許可」に関連付けて設定された色データＣ３を取得する。販売を許可しない場合には（Ａｃｔ１６、ＮＯ）、プロセッサ５１は、Ａｃｔ１８として第１テーブル６１から事象「販売制限不許可」に関連付けて設定された色データＣ４を取得する。
【００５５】
Ａｃｔ１４又はＡｃｔ１７において、色データＣ１又は色データＣ３を取得した場合、プロセッサ５１は、Ａｃｔ１９として販売登録処理を実行する。すなわちプロセッサ５１は、Ａｃｔ１２の処理で取得したデータレコード６０Ｒに含まれる価格に販売点数を乗算して販売金額を算出する。販売点数は、キーボード３３のテンキーと乗算キーとにより乗数が入力されている場合にはその乗数であり、乗数が入力されていない場合には“１”である。プロセッサ５１は、データレコード６０Ｒに含まれる商品コード、商品名及び価格と、販売点数及び販売金額とから商品の販売データを生成する。そしてプロセッサ５１は、この販売データを登録リストに登録する。
【００５６】
プロセッサ５１は、Ａｃｔ１９の販売登録処理を終えるか、Ａｃｔ１８において色データＣ４を取得すると、Ａｃｔ２０としてＬＥＤランプ４０を一定時間点灯させる。具体的にはプロセッサ５１は、Ａｃｔ１４において色データＣ１を取得していた場合には、出力ポート５７から色データＣ１の点灯信号が一定時間出力されるように制御する。この制御により、ＬＥＤランプ４０は、色データＣ１の色で一定時間点灯する。プロセッサ５１は、Ａｃｔ１７において色データＣ３を取得していた場合には、出力ポート５７から色データＣ３の点灯信号が一定時間出力されるように制御する。この制御により、ＬＥＤランプ４０は、色データＣ３の色で一定時間点灯する。プロセッサ５１は、Ａｃｔ１９において色データＣ４を取得していた場合には、出力ポート５７から色データＣ４の点灯信号が一定時間出力されるように制御する。この制御により、ＬＥＤランプ４０は、色データＣ４の色で一定時間点灯する。
【００５７】
Ａｃｔ２０の処理を終えると、プロセッサ５１は、図８のＡｃｔ２又はＡｃｔ３の待ち受け状態に戻る。
【００５８】
ここに、プロセッサ５１を主体とするコンピュータは、Ａｃｔ１３の処理を実行することにより、入力デバイス（スキャナ３５）を介して入力された商品コードで識別される商品が、所定の条件を満たした場合に販売を許容する販売制限商品であるか否かを判定する判定手段を実現する。また同コンピュータは、Ａｃｔ１９の処理を実行することにより、入力デバイス（スキャナ３５）を介して入力された商品コードで識別される商品の販売データを処理する処理手段を構成する。また同コンピュータは、Ａｃｔ１５、Ａｃｔ１６及びＡｃｔ１９の処理を実行することにより、入力デバイス（スキャナ３５）を介して入力された商品コードで識別される商品が販売制限商品であるときには、所定の条件を満たした場合に当該販売制限商品の販売データを処理する処理手段を実現する。また同コンピュータは、Ａｃｔ１４、Ａｃｔ１７及びＡｃｔ２０の処理を実行することにより、処理手段により販売データが処理されたことを条件に通報デバイス（ＬＥＤランプ４０）を通報動作させる制御手段を実現する。さらに同コンピュータは、Ａｃｔ１８及びＡｃｔ２０の処理を実行することにより、入力デバイス（スキャナ３５）を介して入力された商品コードで識別される商品が販売制限商品であり、所定の条件を満たさなかった場合にも通報デバイス（ＬＥＤランプ４０）を通報動作させる制御手段を実現する。なお、少なくとも前者の制御手段（第１制御手段）による通報動作と後者の制御手段（第２制御手段）による通報動作とは異なる。具体的には、ＬＥＤランプ４０の発光色が異なる。
【００５９】
一方、図８のＡｃｔ３において確認できた入力が、店員用タッチパネル３２に対するタッチ入力であった場合には（Ａｃｔ５、ＹＥＳ）、プロセッサ５１は、Ａｃｔ６として商品登録であるか否かを確認する。商品登録でない場合（Ａｃｔ６、ＮＯ）、プロセッサ５１は、Ａｃｔ７として登録終了であるか否かを確認する。登録終了でもない場合（Ａｃｔ７、ＮＯ）、プロセッサ５１は、他のタッチ入力に対する処理を実行する。この処理については、本実施形態を説明する上で重要な事項ではないので、ここでの説明は省略する。
【００６０】
Ａｃｔ２又はＡｃｔ３の待ち受け状態において、店員用タッチパネル３２のディスプレイ３２１には、商品登録画面が表示されている。商品登録画面には、バーコード無し商品の商品コードがそれぞれ割り当てられた複数の商品ボタン画像が表示されている。また、買物客２２が買い上げる商品の登録終了を指示するための終了ボタン画像も商品登録画面の一部に表示されている。
【００６１】
プロセッサ５１は、タッチ入力されたボタン画像が商品ボタン画像であった場合、Ａｃｔ６において商品登録であると判定する。同様にプロセッサ５１は、タッチ入力されたボタン画像が終了ボタン画像であった場合には、Ａｃｔ７において登録終了であると判定する。
【００６２】
プロセッサ５１は、商品登録であると判定した場合（Ａｃｔ６、ＹＥＳ）、図１０の流れ図に示す手順の処理に進む。すなわちプロセッサ５１は、Ａｃｔ３１として、商品データファイル６０を検索して、タッチ入力された商品ボタン画像に割り当てられている商品コードを含むデータレコード６０Ｒを取得する。
【００６３】
データレコード６０Ｒを取得できたならば、プロセッサ５１は、Ａｃｔ３２としてそのデータレコード６０Ｒに含まれる販売制限フラグＦ２を調べる。ここで、販売制限フラグＦ２が“０”、すなわち、スキャニング入力された商品コードで特定される商品が販売制限されない商品の場合には（Ａｃｔ３２、ＮＯ）、プロセッサ５１は、Ａｃｔ３３として第１テーブル６１から事象「タッチ登録」に関連付けて設定された色データＣ２を取得する。
【００６４】
これに対し、販売制限フラグＦ２が“１”、すなわち、スキャニング入力された商品コードで特定される商品が販売制限される商品の場合には（Ａｃｔ３２、ＮＯ）、プロセッサ５１は、Ａｃｔ３４乃至Ａｃｔ３７として、図９のＡｃｔ１５乃至Ａｃｔ１８と同一の処理を実行する。すなわちプロセッサ５１は、販売を許可する場合には第１テーブル６１から事象「販売制限許可」に関連付けて設定された色データＣ３を取得する。販売を許可しない場合には、プロセッサ５１は、第１テーブル６１から事象「販売制限不許可」に関連付けて設定された色データＣ４を取得する。
【００６５】
Ａｃｔ３３又はＡｃｔ３６において、色データＣ２又は色データＣ３を取得した場合、プロセッサ５１は、Ａｃｔ３８として、Ａｃｔ１９と同一の販売登録処理を実行する。またプロセッサ５１は、Ａｃｔ３８の販売登録処理を終えるか、Ａｃｔ３７において色データＣ４を取得すると、Ａｃｔ３９としてＬＥＤランプ４０を一定時間点灯させる。具体的にはプロセッサ５１は、Ａｃｔ３３において色データＣ２を取得していた場合には、出力ポート５７から色データＣ２の点灯信号が一定時間出力されるように制御する。この制御により、ＬＥＤランプ４０は、色データＣ２の色で一定時間点灯する。プロセッサ５１は、Ａｃｔ３６において色データＣ３を取得していた場合には、出力ポート５７から色データＣ３の点灯信号が一定時間出力されるように制御する。この制御により、ＬＥＤランプ４０は、色データＣ３の色で一定時間点灯する。プロセッサ５１は、Ａｃｔ３７において色データＣ４を取得していた場合には、出力ポート５７から色データＣ４の点灯信号が一定時間出力されるように制御する。この制御により、ＬＥＤランプ４０は、色データＣ４の色で一定時間点灯する。
【００６６】
Ａｃｔ３９の処理を終えると、プロセッサ５１は、図８のＡｃｔ２又はＡｃｔ３の待ち受け状態に戻る。
【００６７】
ここに、プロセッサ５１を主体とするコンピュータは、Ａｃｔ３２の処理を実行することにより、入力デバイス（店員用タッチパネル）を介して入力された商品コードで識別される商品が、所定の条件を満たした場合に販売を許容する販売制限商品であるか否かを判定する判定手段を実現する。また同コンピュータは、Ａｃｔ３８の処理を実行することにより、入力デバイス（店員用タッチパネル）を介して入力された商品コードで識別される商品の販売データを処理する処理手段を構成する。また同コンピュータは、Ａｃｔ３４、Ａｃｔ３５及びＡｃｔ３８の処理を実行することにより、入力デバイス（店員用タッチパネル）を介して入力された商品コードで識別される商品が販売制限商品であるときには、所定の条件を満たした場合に当該販売制限商品の販売データを処理する処理手段を実現する。また同コンピュータは、Ａｃｔ３３、Ａｃｔ３６及びＡｃｔ３９の処理を実行することにより、処理手段により販売データが処理されたことを条件に通報デバイス（ＬＥＤランプ４０）を通報動作させる制御手段を実現する。さらに同コンピュータは、Ａｃｔ３７及びＡｃｔ３９の処理を実行することにより、入力デバイス（スキャナ３５）を介して入力された商品コードで識別される商品が販売制限商品であり、所定の条件を満たさなかった場合にも通報デバイス（ＬＥＤランプ４０）を通報動作させる制御手段を実現する。なお、少なくとも前者の制御手段（第３制御手段）による通報動作と後者の制御手段（第４制御手段）による通報動作とは異なる。具体的には、ＬＥＤランプ４０の発光色が異なる。
【００６８】
図８の説明に戻る。プロセッサ５１は、図８のＡｃｔ７においてタッチ入力が登録終了であると判定した場合（Ａｃｔ７、ＹＥＳ）、Ａｃｔ８として登録リストに登録された販売データから前述した会計データを生成する。そしてプロセッサ５１は、Ａｃｔ９として会計データを会計機１２へと送信するように通信インターフェース５５を制御する。この制御により、会計データは、ネットワーク１３を介して会計機１２に送信される。以上で、プロセッサ５１は、一人の買物客２２に対する処理を終了する。
【００６９】
例えば会計データは、複数の会計機１２のうち、予め設定された１つの会計機１２に送信される。このとき、会計データを受信した会計機１２がビジィ状態やエラー発生等により決済処理不能な場合、その会計機１２は、ネットワーク１３を介して別の会計機１２に会計データを転送する。しかして、決済処理可能な会計機１２が会計データを受信すると、その会計機１２から登録機１１に応答信号が送信される。この応答信号を受信した登録機１１においては、応答信号送信元の会計機１２を特定する画像が店員用タッチパネル３２又は客用タッチパネル３７に表示される。その結果、買上商品の登録を終えた買物客２２は、応答信号送信元の会計機１２へと移動し、代金の支払いを行う。
【００７０】
このように、登録機１１においては、販売制限のない商品に付されたバーコードがスキャナ３５でスキャニングされた場合には、当該商品の販売データが登録リストに登録処理された段階でＬＥＤランプ４０が色データＣ１の色で一定時間点灯する。同様に、店員用タッチパネルに表示された販売制限のない商品のボタン画像がタッチされた場合には、当該商品の販売データが登録リストに登録処理された段階でＬＥＤランプ４０が色データＣ２の色で一定時間点灯する。また、販売制限のある商品については、販売条件を満足し、当該商品の販売データが登録リストに登録処理された段階で、ＬＥＤランプ４０が色データＣ３の色で一定時間点灯する。これに対し、販売条件を満足しなかった場合には、ＬＥＤランプ４０が色データＣ４の色で一定時間点灯する。
【００７１】
したがって、登録機１１のオペレータは、ＬＥＤランプ４０が色データＣ１、Ｃ２またはＣ３の色で点灯した場合には、商品の販売データが正しく登録リストに登録処理されたことを直感的に知ることができる。ここで、ＬＥＤランプ４０は、店員用タッチパネルのフレーム上縁の一部に設けられている。したがってオペレータは、その店員用タッチパネルに表示される情報を意識することなく、ＬＥＤランプ４０の点灯有無を確認できる。よって、登録機１１に対する作業効率が低下することはない。
【００７２】
図８の説明に戻る。プロセッサ５１は、Ａｃｔ２及びＡｃｔ３の待ち受け状態において、いずれかの会計機１２からの割込み信号を受信した場合（Ａｃｔ３、ＹＥＳ）、図１１の流れ図に示す手順の処理に進む。すなわちプロセッサ５１は、Ａｃｔ４１として割込み信号が発生信号なのか解除信号なのかを識別する。割込み信号が発生信号の場合、すなわち釣銭機異常発生信号、残留検知発生信号又はニア警告発生信号を受信した場合には（Ａｃｔ４１、「発生」）、プロセッサ５１は、Ａｃｔ４２として第２テーブル６２の該当する事象に対応した状態フラグを“１”に変更する。具体的には、釣銭機異常発生信号を受信した場合には、プロセッサ５１は、事象「釣銭機異常」の状態フラグを“１”に変更する。残留検知発生信号を受信した場合には、プロセッサ５１は、事象「残留検知」の状態フラグを“１”に変更する。ニア警告発生信号を受信した場合には、プロセッサ５１は、事象「ニア警告」の状態フラグを“１”に変更する。
【００７３】
次いでプロセッサ５１は、Ａｃｔ４３として状態フラグが“１”である事象の優先度データを比較する。そしてプロセッサ５１は、Ａｃｔ４４として最優先の事象、つまりは状態フラグが“１”である事象の中で優先度データが最も小さい事象を検出する。
【００７４】
プロセッサ５１は、Ａｃｔ４５として検出した事象に関連付けて第２テーブル６２に設定されている色データを取得する。例えば、状態フラグが“１”である事象が「ニア警告」のみであった場合には、プロセッサ５１は、色データＣ７を取得する。この状態で、事象「残留検知」の状態フラグが“１”になった場合には、プロセッサ５１は、色データＣ６を取得する。事象「釣銭機異常」の状態フラグが“１”になった場合には、プロセッサ５１は、色データＣ５を取得する。
【００７５】
Ａｃｔ４５において、いずれかの色データを取得したならば、プロセッサ５１は、Ａｃｔ４６としてＬＥＤランプ４０を点滅させる。具体的にはプロセッサ５１は、色データＣ７を取得していた場合には、出力ポート５７から色データＣ７の点滅信号が出力されるように制御する。この制御により、ＬＥＤランプ４０は、色データＣ７の色で点滅動作を繰り返す。プロセッサ５１は、色データＣ６を取得していた場合には、出力ポート５７から色データＣ６の点滅信号が出力されるように制御する。この制御により、ＬＥＤランプ４０は、色データＣ６の色で点滅動作を繰り返す。プロセッサ５１は、色データＣ５を取得していた場合には、出力ポート５７から色データＣ５の点滅信号が出力されるように制御する。この制御により、ＬＥＤランプ４０は、色データＣ５の色で点滅動作を繰り返す。  
その後、プロセッサ５１は、図８のＡｃｔ２又はＡｃｔ３の待ち受け状態に戻る。
【００７６】
一方、Ａｃｔ４１において、受信した割込み信号が解除信号の場合、すなわち釣銭機異常解除信号、残留検知解除信号又はニア警告解除信号を受信した場合には（Ａｃｔ４１、「解除」）、プロセッサ５１は、Ａｃｔ４７として、第２テーブル６２の該当する事象に対応した状態フラグを“０”に変更する。具体的には、釣銭機異常解除信号を受信した場合には、プロセッサ５１は、事象「釣銭機異常」の状態フラグを“０”に変更する。残留検知解除信号を受信した場合には、プロセッサ５１は、事象「残留検知」の状態フラグを“０”に変更する。ニア警告解除信号を受信した場合には、プロセッサ５１は、事象「ニア警告」の状態フラグを“０”に変更する。
【００７７】
次いでプロセッサ５１は、Ａｃｔ４８として、第２テーブル６２を検索し、状態フラグが“１”になっている事象の有無を判定する。少なくとも１つの事象の状態フラグが“１”であった場合には（Ａｃｔ４８、ＹＥＳ）、プロセッサ５１は、前述したＡｃｔ４３乃至Ａｃｔ４６の処理を実行する。
【００７８】
これに対し、全ての事象の状態フラグが“０”であった場合には（Ａｃｔ４８、ＮＯ）、プロセッサ５１は、Ａｃｔ４９としてＬＥＤランプ４０の点滅を終了させる。具体的にはプロセッサ５１は、出力ポート５７からＬＥＤランプ４０へと出力されていた点滅信号を停止させる。この制御により、点滅動作していたＬＥＤランプ４０は消灯する。  
その後、プロセッサ５１は、図８のＡｃｔ２又はＡｃｔ３の待ち受け状態に戻る。
【００７９】
ここにプロセッサ５１を主体とするコンピュータは、Ａｃｔ４１乃至Ａｃｔ４９の処理を実行することにより、通信インターフェース５５を介して会計装置（会計機１２）から受信した情報に基づき通報デバイス（ＬＥＤランプ４０）を通報動作させる制御手段を実現する。特に同コンピュータは、Ａｃｔ４３乃至Ａｃｔ４６の処理を実行することにより、会計装置（会計機１２）から受信した情報の優先度を認識し、その優先度に応じて通報動作を異ならせる制御手段を実現する。
【００８０】
このように、複数の会計機１２が接続された登録機１１においては、いずれかの会計機１２からニア警告発生信号を受信した場合には、他に釣銭機異常発生信号又は残留検知発生信号を受信していない場合に限り、ＬＥＤランプ４０が色データＣ７の色で点滅動作する。同様に、会計機１２から残留検知発生信号を受信した場合には、他に釣銭機異常発生信号を受信していない場合に限り、ＬＥＤランプ４０が色データＣ６の色で点滅動作する。また、会計機１２から釣銭機異常発生信号を受信した場合には、他にニア警告発生信号又は残留検知発生信号を受信しているか否かに拘わらず、ＬＥＤランプ４０が色データＣ５の色で点滅動作する。
【００８１】
したがって登録機１１のオペレータは、ＬＥＤランプ４０が色データＣ７の色で点滅動作していた場合には、いずれかの会計機１２の自動釣銭機においてニアエンプティ又はニアフルの警告が発生していることを直感的に知ることができる。同様にオペレータは、ＬＥＤランプ４０が色データＣ６の色で点滅動作していた場合には、いずれかの会計機１２の自動釣銭機において残留検知の警告が発生していることを直感的に知ることができる。またオペレータは、ＬＥＤランプ４０が色データＣ５の色で点滅動作していた場合には、いずれかの会計機１２の自動釣銭機において硬貨詰まり、紙幣詰まり等の異常が発生していることを直感的に知ることができる。ここで、ＬＥＤランプ４０は、店員用タッチパネルのフレーム上縁の一部に設けられている。したがってオペレータは、その店員用タッチパネルに表示される情報を意識することなく、ＬＥＤランプ４０の点滅有無を確認できる。よって、登録機１１に対する作業効率が低下することはない。
【００８２】
なお、ＬＥＤランプ４０が点滅動作している状態において、図９のＡｃｔ２０の処理により出力ポート５７から例えば色データＣ１の点灯信号が一定時間出力された場合には、ＬＥＤランプ４０は、色データＣ１の色で一定時間点灯し、その後、直前の点滅動作に戻る。この点については、出力ポート５７から他の色データＣ２，Ｃ３，Ｃ４の点灯信号が一定時間出力された場合も同様である。
【００８３】
以上詳述したように、本実施形態によれば、ＬＥＤランプ４０の点灯により、販売データが正しく処理されたことをオペレータが直感的に確認できる登録機１１を提供することができる。特に、アルコール飲料や煙草等のように購買に年齢制限がある商品の場合、年齢確認の操作が行われて販売が許容され、その商品の販売データが正しく処理されたことを、オペレータは直感的に確認することができる。
【００８４】
また本実施形態によれば、ＬＥＤランプ４０の点滅により、ネットワーク１３を介して接続された会計機１２に異常又は警告が発生していることをオペレータが直感的に確認できる登録機１１を提供することができる。そしてこの場合において、異常又は警告の種類によってＬＥＤランプ４０の発光色が異なるので、オペレータは、どの種類の異常又は警告が発生しているのかを容易に識別することができる。
【００８５】
その上、本実施形態では、会計機１２において発生し得る異常又は警告に対して優先度が設定されている。そして、発生中の異常又は警告のうち最も優先度が高い異常又は警告に対応した発光色でＬＥＤランプ４０が点滅する。したがって、緊急性の高い異常又は警告の優先度を高くすることで、緊急性の高い異常又は警告に対しては迅速に対処できるようになる。
【００８６】
以上、販売データが正しく処理されたことをオペレータが直感的に確認できる商品販売処理装置の実施形態について説明したが、かかる実施形態はこれに限定されるものではない。
【００８７】
前記実施形態では、どの会計機１２からの割込み信号であっても、その割込み信号の種類に応じた発光色でＬＥＤランプ４０を点滅動作させている。この点については、割込み信号に会計機１２を識別するデータを含ませることで、会計機１２別に発光色を変えるようにしてもよい。あるいは、ＬＥＤランプ４０を一対にする。そして、一方のＬＥＤランプの発光色で異常又は警告の種類を示し、他方のＬＥＤランプの発光色で割込み信号発生元の会計機１２を示すようにしてもよい。
【００８８】
前記実施形態では、商品販売処理装置としての機能を、セミセルフ方式を採用したチェックアウトシステムの登録機に適用した場合を例示した。他の実施形態としては、登録機１１としての機能と会計機１２としての機能とを１台で行うＰＯＳ（Point Of Sales）端末に適用する場合が考えられる。ＰＯＳ端末は、対面式のものであってもセルフ式のものであってもよい。この場合、ＬＥＤランプ４０の点灯により、販売データが正しく処理されたことをオペレータが直感的に確認できるＰＯＳ端末を提供することができる。なお、この場合には、図７の第２テーブル６２が省略される。また、図８のＡｃｔ２の処理ステップと、図１１のＡｃｔ４１乃至Ａｃｔ４９の処理ステップとが省略される。
【００８９】
あるいは他の実施形態としては、会計機１２で発生した異常又は警告の通報に特化した登録機１１とすることも考えられる。この場合には図６の第１テーブル６１が省略される。また、図８のＡｃｔ２の処理ステップと、図１１のＡｃｔ４１乃至Ａｃｔ４９の処理ステップ以外の処理ステップが省略される。
【００９０】
前記実施形態では、店員用タッチパネル３２の画面を囲うフレームのうち上縁の一部にＬＥＤランプ４０を取り付けた場合を例示した。ＬＥＤランプ４０の取付位置は、フレーム上縁の一部に限定されるものではない。ただし、フレームの上縁に設けることによって、店員２１と買物客２２の双方が同時に確認できるメリットがある。また、例えばチェックアウトレーンの天井に取り付けられたカメラで登録機１１を監視することにより、ＬＥＤランプ４０の状態を遠方からも確認できるメリットがある。なお、このようなメリットを奏し得るのであれば、例えばフレームの一部がＬＥＤランプによって点灯又は点滅動作するように構成してもよい。
【００９１】
会計機１２からの割込み信号は、前述した釣銭機異常発生信号、残留検知発生信号、ニア警告発生信号、釣銭機異常解除信号、残留検知解除信号又はニア警告解除信号に限定されるものではない。
【００９２】
報知デバイスは、ＬＥＤランプ４０に限定されるものではない。オペレータが直感的に気付く報知動作を行うものであればよい。
【００９３】
なお、登録機１１の譲渡は一般に、プログラムがメインメモリ５２又は補助記憶デバイス５３に記憶された状態にて行われる。しかしこれに限らず、プログラムがメインメモリ５２又は補助記憶デバイス５３に記憶されていない状態で譲渡されてもよい。そしてこの場合は、登録機１１が備える書き込み可能な記憶デバイスに、この登録機１１とは個別に譲渡されたプログラム等がユーザなどの操作に応じて書き込まれてもよい。プログラム等の譲渡は、リムーバブルな記録媒体に記録して、あるいはネットワークを介した通信により行うことができる。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００９４】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
１０…チェックアウトシステム、１１…登録機、１２…会計機、１３…ネットワーク、３１…ハウジング、３２…店員用タッチパネル、３３…キーボード、３４…カードリーダ、３５…スキャナ、３６…プリンタ、３７…客用タッチパネル、４０…ＬＥＤランプ、５１…プロセッサ、５２…メインメモリ、５３…補助記憶デバイス、５４…システム伝送路、５５…通信インターフェース、５６…外部機器インターフェース、６０…商品データファイル、６１…第１テーブル、６２…第２テーブル。
【図１】
2019144647.tif 000003
【図２】
2019144647.tif 000004
【図３】
2019144647.tif 000005
【図４】
2019144647.tif 000006
【図５】
2019144647.tif 000007
【図６】
2019144647.tif 000008
【図７】
2019144647.tif 000009
【図８】
2019144647.tif 000010
【図９】
2019144647.tif 000011
【図１０】
2019144647.tif 000012
【図１１】
2019144647.tif 000013